(57)【要約】  ユーザーに、テレビジョン信号受信機のような装置の種々の機能を容易且つ便利な方法で制御可能にする方法（５００）が提供される。例である実施例によると、方法（５００）は、ユーザーに、ユーザーにより回転及び押下可能なキーを有するユーザー入力装置を介し、装置を制御可能にする。方法は、第１のモードの間、画面上メニューに応答してキーを回転及び押下することにより、ユーザーに装置の機能の第１のセットを制御可能にする段階（５２５）、及び第２のモードの間、画面上メニューを提供せずにキーを回転及び押下することにより、ユーザーに装置の機能の第２のセットを制御可能にする段階（５３０−５７５）、を有する。
2008530853.tif 000002
【特許請求の範囲】
【請求項１】
方法であって、ユーザーに、前記ユーザーにより回転及び押下可能なキーを有するユーザー入力装置を介し装置を制御可能にし、前記方法は：
前記ユーザーに、第１のモードの間、画面上メニューに応答して前記キーを回転及び押下することにより、前記装置の機能の第１のセットを制御可能にする段階；及び
前記ユーザーに、第２のモードの間、画面上メニューを提供せずに前記キーを回転及び押下することにより、前記装置の機能の第２のセットを制御可能にする段階、を有する方法。
【請求項２】
前記キーは、前記ユーザーにより押下可能な複数の部分を有し；及び
前記画面上メニューは、前記ユーザーが前記キーの第１の部分を押下することに応答して表示される、請求項１記載の方法。
【請求項３】
前記キーは、前記ユーザーにより複数の方向に回転可能であり；
前記キーは、前記ユーザーにより押下可能な複数の部分を有し；
前記ユーザーは、前記第１のモードの間、前記キーを回転することにより、前記画面上メニュー内をナビゲートし；及び
前記ユーザーは、前記第１のモードの間、前記キーの所与の部分を押下することにより、前記機能の第１のセットの制御されるべき１つを選択する、請求項１記載の方法。
【請求項４】
前記キーは、前記ユーザーにより２つの方向に回転可能であり；
前記キーは、前記ユーザーにより押下可能な３個の部分を有し；
前記画面上メニューは、選択可能アイコンの少なくとも２つの行及び３個の列を有し；
前記ユーザーは、前記第１のモードの間、前記キーを回転することにより、前記行の間で強調表示されたカーソルを移動し；及び
前記ユーザーは、前記第１のモードの間、前記キーの前記３個の部分の１つを押下することにより、前記選択可能アイコンの１つを選択する、請求項１記載の方法。
【請求項５】
前記機能の第２のセットは、音量調整機能及びチャンネル調整機能を有する、請求項１記載の方法。
【請求項６】
前記第２のモードの間：
前記ユーザーは、前記キーを第１の方向に回転し音量を増大し；
前記ユーザーは、前記キーを第２の方向に回転し前記音量を減少し；
前記ユーザーは、前記キーの第１の部分を押下しチャンネルを増加し；及び
前記ユーザーは、前記キーの第２の部分を押下し前記チャンネルを減少する、請求項５記載の方法。
【請求項７】
前記機能の第２のセットは音声消音機能を更に有し、及び第２のモードの間、前記ユーザーは、前記キーを所定の時間期間内に前記第１の方向に及び前記第２の方向に回転し、前記音声消音機能を活性化する、請求項６記載の方法。
【請求項８】
装置であって、ユーザーにより回転及び押下可能なキーを有するユーザー入力装置を介し前記ユーザーにより制御可能であり、前記装置は：
画面上メニューを可能にするデータを格納するメモリー手段；
前記ユーザーに、第１のモードの間、前記画面上メニューに応答し前記キーを回転及び押下することにより、前記装置の機能の第１のセットを制御可能にし、及び前記ユーザーに、第２のモードの間、画面上メニューを提供せずに前記キーを回転及び押下することにより、前記装置の機能の第２のセットを制御可能にする処理手段、を有する装置。
【請求項９】
前記キーは、前記ユーザーにより押下可能な複数の部分を有し；及び
前記画面上メニューは、前記ユーザーが前記キーの第１の部分を押下することに応答して表示される、請求項８記載の装置。
【請求項１０】
前記キーは、前記ユーザーにより複数の方向に回転可能であり；
前記キーは、前記ユーザーにより押下可能な複数の部分を有し；
前記ユーザーは、前記第１のモードの間、前記キーを回転することにより、前記画面上メニュー内をナビゲートし；及び
前記ユーザーは、前記第１のモードの間、前記キーの所与の部分を押下することにより、前記機能の第１のセットの制御されるべき１つを選択する、請求項８記載の装置。
【請求項１１】
前記キーは、前記ユーザーにより２つの方向に回転可能であり；
前記キーは、前記ユーザーにより押下可能な３個の部分を有し；
前記画面上メニューは、選択可能アイコンの少なくとも２つの行及び３個の列を有し；
前記ユーザーは、前記第１のモードの間、前記キーを回転することにより、前記行の間で強調表示されたカーソルを移動し；及び
前記ユーザーは、前記第１のモードの間、前記キーの前記３個の部分の１つを押下することにより、前記選択可能アイコンの１つを選択する、請求項８記載の装置。
【請求項１２】
前記機能の第２のセットは、音量調整機能及びチャンネル調整機能を有する、請求項８記載の装置。
【請求項１３】
前記第２のモードの間：
前記ユーザーは、前記キーを第１の方向に回転し音量を増大し；
前記ユーザーは、前記キーを第２の方向に回転し前記音量を減少し；
前記ユーザーは、前記キーの第１の部分を押下しチャンネルを増加し；及び
前記ユーザーは、前記キーの第２の部分を押下し前記チャンネルを減少する、請求項１２記載の装置。
【請求項１４】
前記機能の第２のセットは音声消音機能を更に有し、及び第２のモードの間、前記ユーザーは、前記キーを所定の時間期間内に前記第１の方向に及び前記第２の方向に回転し、前記音声消音機能を活性化する、請求項１３記載の装置。
【請求項１５】
テレビジョン信号受信機であって、ユーザーにより回転及び押下可能なキーを有するユーザー入力装置を介し前記ユーザーにより制御可能であり、前記テレビジョン信号受信機は：
選択可能アイコンの複数の行及び列を有する画面上メニューを可能にするデータを格納するよう機能するメモリー；
前記ユーザーに、第１のモードの間、前記画面上メニューに応答し前記キーを回転及び押下することにより、前記テレビジョン信号受信機の機能の第１のセットを制御可能にするよう機能するプロセッサー；を有し、
前記キーは、前記ユーザーにより複数の方向に回転可能であり、及び前記ユーザーにより押下可能な複数の部分を有し；及び
前記ユーザーは、前記キーを回転することにより前記画面上メニュー内の強調表示されたカーソルを前記行の間で移動し、及び前記キーの所与の部分を押下することにより前記選択可能アイコンの１つを選択する、テレビジョン信号受信機。
【請求項１６】
前記画面上メニューは、前記ユーザーが前記キーの所定の部分を押下することに応答して表示される、請求項１５記載のテレビジョン信号受信機。
【請求項１７】
前記プロセッサーは、第２のモードの間、画面上メニューを提供せずに前記キーを回転及び押下することにより、前記ユーザーに前記テレビジョン信号受信機の機能の第２のセットを制御可能にするよう更に機能する、請求項１５記載のテレビジョン信号受信機。
【請求項１８】
前記機能の第２のセットは、音量調整機能及びチャンネル調整機能を有する、請求項１７記載のテレビジョン信号受信機。
【請求項１９】
前記第２のモードの間：
前記ユーザーは、前記キーを第１の方向に回転し音量を増大し；
前記ユーザーは、前記キーを第２の方向に回転し前記音量を減少し；
前記ユーザーは、前記キーの第１の部分を押下しチャンネルを増加し；及び
前記ユーザーは、前記キーの第２の部分を押下し前記チャンネルを減少する、請求項１８記載のテレビジョン信号受信機。
【請求項２０】
前記機能の第２のセットは音声消音機能を更に有し、及び第２のモードの間、前記ユーザーは、前記キーを所定の時間期間内に前記第１の方向に及び前記第２の方向に回転し、前記音声消音機能を活性化する、請求項１９記載のテレビジョン信号受信機。
【発明の詳細な説明】
【技術分野】
【０００１】
本発明は、一般に装置のユーザー制御技術に、及びより詳細にはユーザーにテレビジョン信号受信機のような装置の種々の機能を容易且つ便利な方法で制御可能にする方法に関する。
【背景技術】
【０００２】
テレビジョン信号受信機のような装置は、しばしば手持ち式の、無線リモコン装置のようなユーザー入力装置及び／又は他のユーザー入力装置により制御可能である。このようなユーザー入力装置の現在の設計は、しばしば、装置により提供可能な多くの機能に対応するため比較的多数のキー／ボタンを有する。このような設計は、例えば、特定の装置機能を制御するために設けられた特殊なキー／ボタンを有する。
【０００３】
前述の種類のユーザー入力装置設計では、ユーザーにとって装置を制御することは極度に複雑であり得る。例えば、ユーザーは、選択のために利用可能な比較的多数のキー／ボタンに圧倒され得、及び／又は特定のキー／ボタンにより提供される機能を理解し得ない。従って、ユーザーは、ユーザーが理解し及び使い心地が良いキー／ボタン、及び／又は基本動作及び装置の制御（例えばオン／オフ等）に必要なキー／ボタン以外の、ユーザー入力装置の多くの利用可能なキー／ボタンの使用を避け得る。結果として、ユーザーは、装置により提供可能な多くの利用可能な機能を利用できないという点で不利であり得る。
【発明の開示】
【発明が解決しようとする課題】
【０００４】
従って、ユーザーにテレビジョン信号受信機のような装置を制御させ、前述の問題を回避し、及びそれによりユーザーに比較的多数の装置機能を容易且つ便利な方法で制御可能にする方法が必要である。本発明は、これら及び／又は他の課題を解決する。
【課題を解決するための手段】
【０００５】
本発明のある態様によると、ユーザーに、ユーザーにより回転及び押下可能なキーを有するユーザー入力装置を介し、装置を制御可能にする方法が開示される。例である実施例によると、方法は、第１のモードの間、画面上メニューに応答してキーを回転及び押下することにより、ユーザーに装置の機能の第１のセットを制御可能にする段階、及び第２のモードの間、画面上メニューを提供せずにキーを回転及び押下することにより、ユーザーに装置の機能の第２のセットを制御可能にする段階、を有する。
【０００６】
本発明の別の態様によると、ユーザーにより回転及び押下可能なキーを有するユーザー入力装置を介しユーザーにより制御可能な装置が開示される。例である実施例によると、装置は、画面上メニューを可能にするデータを格納するメモリー手段を有する。装置は処理手段を更に有し、当該処理手段は、第１のモードの間、画面上メニューに応答してキーを回転及び押下することにより、ユーザーに装置の機能の第１のセットを制御可能にし、及び第２のモードの間、画面上メニューを提供せずにキーを回転及び押下することにより、ユーザーに装置の機能の第２のセットを制御可能にする。
【０００７】
本発明の更に別の態様によると、ユーザーにより回転及び押下可能なキーを有するユーザー入力装置を介しユーザーにより制御可能なテレビジョン信号受信機が開示される。例である実施例によると、テレビジョン信号受信機は、選択可能なアイコンの複数の行及び列を有する画面上メニューを可能にするデータを格納するよう機能するメモリーを有する。テレビジョン信号受信機は、第１のモードの間、画面上メニューに応答してキーを回転及び押下することにより、ユーザーにテレビジョン信号受信機の機能の第１のセットを制御可能にするよう機能するプロセッサー、を更に有する。キーは、ユーザーにより複数方向に回転可能であり、及びユーザーにより押下可能な複数の部分を有する。ユーザーは、キーを回転することにより行と行の間で画面上メニュー内の強調表示されたカーソルを移動し、及びキーの所与の部分を押下することにより選択可能なアイコンの１つを選択する。
【０００８】
添付の図面と併せて本発明の実施例の以下の記載を参照することにより、本発明の上述の及び他の特徴及び利点、及びそれらの実現方法はより明らかになり、及び本発明はより理解される。
【発明を実施するための最良の形態】
【０００９】
本願明細書に説明される適例は、本発明の好適な実施例を示す。またこのような適例は、如何様にも本発明の範囲を制限すると見なされるべきではない。
【００１０】
図、及びより詳細には図１を参照すると、本発明の実施に適した例である環境１００が示される。図１に示されるように、環境１００は、入力装置１０及び装置２０を有する。例である実施例によると、ユーザー入力装置１０は、手持ち式の無線リモコン装置として実施されるが、また有線及び／又は無線キーボード、装置２０の統合制御パネル、及び／又は他のユーザー入力装置としても実施され得る。例である実施例によると、装置２０は、統合ディスプレイ装置を有するテレビジョン信号受信機として実施されるが、また別の種類の装置又は統合ディスプレイ装置を有さない装置（例えばセットトップボックス等）を有する装置としても実施され得る。ユーザー入力装置１０及び装置２０に関する更なる例である詳細は、本願明細書で後述される。
【００１１】
図２を参照すると、本発明の例である実施例による図１のユーザー入力装置１０の更なる詳細を提供する図が示される。図２のユーザー入力装置１０は、装置２０及び／又は他の装置の種々の機能を制御するためユーザーにより操作され得る制御キー１５を有する。ユーザー入力装置１０はまた、制御キー１５に加え、１つ以上の他のキー／ボタン及び／又は他の制御機構を有して良い。例である実施例によると、ユーザー入力装置１０は、ユーザーの制御キー１５の回転及び／又は押下に応答し、制御信号を生成し及び有線及び／又は無線（例えば、赤外線又は無線（ＲＦ）接続等を介して）方法で出力するよう機能し、それにより装置２０及び／又は他の装置の種々の機能を制御する。制御キー１５は、例えば、Ｔｅｌｅｎｏｓｔｒａにより製造されたバレルキー（商標）、又は同様の種類の制御機構として実施されて良い。
【００１２】
図３を参照すると、本発明の例である実施例による図２の制御キー１５の更なる詳細を提供する図が示される。特に図３は、制御キー１５の端面図及び側面図を設け、本発明の例である実施例による装置２０及び／又は他の装置の特定の機能を制御するために制御キー１５がユーザーによりどのように操作されるかを示す。図３に示されたように、制御キー１５は、第１及び第２の方向（つまり、時計回り及び反時計回り）に回転されて良く、及びユーザーにより押下されて良い３個の部分（つまり右側、中央、左側）を有する。
【００１３】
例である実施例によると、制御キー１５は、第１のモードの間、装置２０の機能の第１のセットを制御するため使用されて良く、及びまた第２のモードの間、装置２０の機能の第２のセットを制御するため使用されて良い。第１のモードの間、制御キー１５は、ユーザー選択可能アイコンの複数の行及び列を有する画面上メニュー内をナビゲートするため、及びメニュー内の特定のアイコンを選択しそしてそれにより装置２０の特定の機能を制御するために使用されて良い。例である実施例によると、制御キー１５は、強調表示されたカーソルを画面上メニュー内の行の間で上向き方向に移動するため第１の（例えば時計回り又は上向き）方向に回転されて良く、及び強調表示されたカーソルを画面上メニュー内の行の間で下向き方向に移動するため第２の（例えば反時計回り又は下向き）方向に回転されて良い。所望のアイコン行がカーソルにより強調表示されると、ユーザーは、次に、制御キー１５の対応する部分を押下することにより当該強調表示された行内の特定のアイコンを選択して良い。
【００１４】
更に、制御キー１５は、第２のモードの間、画面上メニューの支援を有さず、装置２０の他の機能を制御するため使用されて良い。例である実施例によると、制御キー１５は、第２のモードの間、装置２０の音量を増大するため第１の方向に回転されて良く、及び第２のモードの間、装置２０の音量を減少するため第２の方向に回転されて良い。第２のモードの間、制御キー１５の右側部分は、装置２０により合わせられるチャンネルを増加するために押下されて良く、及び制御キー１５の左側部分は、装置２０により合わせられるチャンネルを減少するために押下されて良い。第２のモードの間の制御キー１５の中央部分の押下は、画面上メニューを表示させ、そしてそれにより装置２０を第２のモードから第１のモードへ切り替える。
【００１５】
上述の方法で、制御キー１５は有利なことに、ユーザーに、第１のモードの間に画面上メニューを使用して、及び第２のモードの間に画面上メニューの支援を有さず、装置２０の種々の機能を制御可能にする。第１及び第２のモードの間の制御キー１５の使用に関する更なる例である詳細は、本願明細書で後述される。
【００１６】
図４を参照すると、本発明の例である実施例による図１の装置２０の更なる詳細を提供する図が提供される。図４の装置は、前面パネル部品（ＦＰＡ）２１のような前面パネル手段、増幅器２２のような増幅手段、及び入力／出力（Ｉ／Ｏ）ブロック２３のようなＩ／Ｏ手段、プロセッサー２４のような処理手段、及びメモリー２５のようなメモリー手段、を有する。図４の前述の要素のいくつかはＩＣを使用して実施されて良く、及びいくつかの要素は例えば１つ以上のＩＣに含まれて良い。記載の明確化のため、特定の制御信号、電源信号及び／又は他の要素のような装置２０と関連付けられる特定の従来の要素は、図４に示されなくて良い。
【００１７】
ＦＰＡ２１は、ユーザー入力をユーザー入力装置１０から受信し、及びユーザー入力に対応する出力信号を増幅器２２へ出力するよう機能する。例である実施例によると、ＦＰＡ２１は、ＩＲ及び／又はＲＦ信号のような信号をユーザー入力装置１０から受信し、及び増幅器２２へ出力される対応する信号を生成する。増幅器２２は、プロセッサー２４への出力のため、ＦＰＡ２１から提供された信号を増幅するよう機能する。
【００１８】
Ｉ／Ｏブロック２３は、装置２０のＩ／Ｏ機能を実行するよう機能する。例である実施例によると、Ｉ／Ｏブロック２３は、音声、ビデオ及び／又はデータ信号のような信号を、アナログ及び／又はデジタル変調形式で、地上波、ケーブル、衛星、インターネット及び／又は他の信号源のような１つ以上の信号源から受信するよう機能する。Ｉ／Ｏブロック２３はまた、処理された信号を１つ以上の他の装置へ出力するよう、及び当該装置から信号を受信するよう機能する。
【００１９】
プロセッサー２４は、種々の信号処理を実行し及び装置２０の機能を制御するよう機能する。例である実施例によると、プロセッサー２４は、同調、変調、前方誤り訂正、及び伝送処理機能を有する機能を実行することにより、Ｉ／Ｏブロック２３から提供された音声、ビデオ及び／又はデータ信号を処理し、それにより音声、ビデオ及び／又はデータコンテンツを表すデジタルデータを生成する。このような処理機能から生成されたデジタルデータは、更なる処理（例えばＭＰＥＧ復号化等）のため提供され、そして出力されて良い。
【００２０】
プロセッサー２４はまた、ユーザーに装置２０及び／又は他の装置を、ユーザー入力装置１０の制御キー１５を介し制御可能にするソフトウェアコードを実行するよう機能する。例である実施例によると、プロセッサー２４は、ユーザー入力装置１０の制御キー１５を介して提供されたユーザー入力を検出し及び処理し、そして当該ユーザー入力に応答してプロセッサー２４自体の動作を制御し及び／又は制御信号を出力し装置２０の他の機能（図４に示されない要素を含む）を制御して良い。プロセッサー２４はまた、ユーザー設定のためのＯＳＤメニュー及び装置２０の制御、メモリー２５からのデータの読み出し及び書き込み、及び／又は他の機能を可能にするような、しかしこれらに限定されない、装置２０の他の機能を実行する及び／又は可能にするよう機能する。
【００２１】
メモリー２５は、装置２０のデータ記憶機能を実行するよう機能する。例である実施例によると、メモリー２５は、ソフトウェアコード、ＯＳＤメニューデータ、ユーザー設定データ、及び／又は他のデータを有する、しかしこれらに限定されない、データを格納する。
【００２２】
本発明のより良い理解を助けるため、例が提供される。図５を参照すると、本発明の例である実施例による段階を説明するフローチャートが示される。例及び説明を目的として、図５の段階は、本願明細書に前述されたユーザー入力装置１０及び装置２０を参照して記載される。図５の段階は、単なる例であり、及び如何様にも本発明を制限すると見なされるべきではない。
【００２３】
段階５０５では、装置２０はオフ／スタンバイ状態である。例である実施例によると、オフ／スタンバイ状態は、装置２０が電気出力を受信し（例えば電源に接続される）、しかしスイッチがオフである動作状態を表す。
【００２４】
段階５１０で、ユーザー入力装置１０の制御キー１５の任意の部分がユーザーにより押下されたか否かに関する決定が行われる。例である実施例によると、段階５１０で、プロセッサー２４は制御キー１５の任意の部分のユーザーの押下を検出する。段階５１０における決定が偽である場合、処理フローは、装置２０がオフ／スタンバイ状態のままである段階５０５へループバックする。或いは、段階５１０における決定が真である場合、処理フローは段階５１５へ進み、装置２０がオン状態へ切り替えられる。例である実施例によると、段階５１５で、プロセッサー２４は１つ以上の制御信号を出力し、それにより装置２０をオフ／スタンバイ状態からオン状態へ切り替える。
【００２５】
段階５２０で、制御キー１５の中央部分がユーザーにより押下されたか否かに関する決定が行われる。例である実施例によると、段階５２０で、プロセッサー２４は制御キー１５の中央部分のユーザーの押下を検出する。段階５２０における決定が真である場合、処理フローは段階５２５へ進み、装置２０が画面上メニューを提供し及びプロセッサー２４の制御下でユーザー入力装置１０の制御キー１５を介してユーザーに装置２０を制御可能にする。段階５２０における真の決定は、本願明細書に前述のように、装置２０が第２のモードから第１のモードへ切り替えられていることを示す。
【００２６】
段階５２５で提供される画面上メニューの例は、図６及び７に示される。図６及び７にそれぞれ示されるように、画面上メニュー６００及び７００はそれぞれ、ユーザー選択可能アイコンの複数の行及び列を有する。図６では、例えば、画面上メニュー６００内の当該アイコンの４番目の行は、ユーザーが制御キー１５を回転することにより行単位に上向き及び／又は下向きに移動して良い画面上カーソルにより強調表示される。本願明細書に前述のように、ユーザーは、制御キー１５を第１の（例えば時計回り又は上向き）方向に回転して強調表示されたカーソルを画面上メニュー６００内の行と行の間で上向き方向に移動して良く、及び反対に制御キー１５を第２の（例えば反時計回り又は下向き）方向に回転して強調表示されたカーソルを画面上メニュー６００内の行の間で下向き方向に移動して良い。所望のアイコン行がカーソルにより強調表示されると、ユーザーは、次に、制御キー１５の対応する部分を押下することにより当該強調表示された行内の特定のアイコンを選択して良い。図６では、例えば、４番目のアイコン行が強調表示される間、ユーザーは：（ｉ）制御キー１５の右側を押下し、装置２０が現在合わせられているチャンネルを増加し、（ｉｉ）制御キー１５の左側を押下し、装置２０が現在合わせられているチャンネルを減少し、又は（ｉｉｉ）制御キー１５の中央部分を押下し、チャンネルの数字「０」を入力して良い。
【００２７】
別の例として、図６でチャンネル「１５」を入力するため、ユーザーは、制御キー１５を第１の（例えば時計回り又は上向き）方向に回転し、強調表示されたカーソルを３行上へ一番上のアイコン行まで移動して良い。一番上のアイコン行が画面上カーソルにより強調表示されると、ユーザーは制御キー１５の左側を押下し、チャンネルの数字「１」を入力して良い。ユーザーは次に、制御キー１５を第２の（例えば反時計回り又は下向き）方向に回転し、強調表示されたカーソルを１行下に２番目のアイコン行まで移動して良い。２番目のアイコン行が画面上カーソルにより強調表示されると、ユーザーは制御キー１５の中央部分を押下し、チャンネルの数字「５」を入力し、そしてそれによりチャンネル「１５」を入力して良い。段階５２５における図６の画面上メニュー６００を終了するために、ユーザーは、画面上メニューが「タイムアウト」し消えるのを数秒待つか、又は制御キー１５を第２の（例えば反時計回り又は下向き）方向に回転し強調表示されたカーソルを５番目のアイコン行まで下へ移動し、そして次に制御キー１５の左側を押下しそれにより「終了」アイコンを選択して良い。
【００２８】
図７の画面上メニュー７００は、図６の「音声」アイコンの下の拡張メニューを図示する。図７の拡張画面上メニュー７００を生成するため、ユーザーは、制御キー１５を第２の（例えば反時計回り又は下向き）方向に回転し、強調表示されたカーソルを「音声」アイコンまで下に移動して良い。「音声」アイコンがカーソルにより強調表示されると、ユーザーは、制御キー１５の任意の部分（つまり、右側、左側、又は中央）を押下し、図７に示された拡張「音声」メニューを表示して良い。拡張「音声」メニューが表示されると、制御キー１５の右側の押下１回につき、強調表示されたカーソルは１アイコンだけ右へ移動し得る。従って、ユーザーが制御キー１５の右側を２回押下した場合、図７に示されるように、強調表示されたカーソルは２アイコン移動し、「高音域」アイコンを強調表示して良い。ユーザーは次に、制御キー１５を上向き及び下向きにそれぞれ回転することにより、「高音域」レベルを上向き及び下向きに調整し得る。図６及び７の他のアイコンは、同様の方法で調整されて良い。図７の拡張「音声」メニューを終了するため、ユーザーは、「低音」アイコンが強調表示されている間に制御キー１５の左側を押下して良い。
【００２９】
図５に戻って参照すると、段階５２０における決定が偽である場合、処理フローは段階５３０へ進む。段階５３０で、装置２０は第２のモードのままであり、及び制御キー１５の右側がユーザーにより押下されたか否かに関する決定が行われる。例である実施例によると、段階５３０で、プロセッサー２４は制御キー１５の右側のユーザーの押下を検出する。段階５３０における決定が真である場合、処理フローは段階５３５へ進み、装置２０が現在合わせられているチャンネルを増加する。例である実施例によると、段階５３５で、プロセッサー２４はプロセッサー２４の同調機能を制御し、それによりチャンネル増加を達成する。段階５３５から、処理フローは段階５１５へループバックし、装置２０はオン状態のままである。
【００３０】
或いは、段階５３０における決定が偽である場合、処理フローは段階５４０へ進み、制御キー１５の左側がユーザーにより押下されたか否かに関する決定が行われる。例である実施例によると、段階５４０で、プロセッサー２４は制御キー１５の左側のユーザーの押下を検出する。
段階５４０における決定が真である場合、処理フローは段階５４５へ進み、装置２０が現在合わせられているチャンネルを減少する。例である実施例によると、段階５４５で、プロセッサー２４はプロセッサー２４の同調機能を制御し、それによりチャンネル減少を達成する。段階５４５から、処理フローは段階５１５へループバックし、装置２０はオン状態のままである。
【００３１】
或いは、段階５４０における決定が偽である場合、処理フローは段階５５０へ進み、制御キー１５がユーザーにより上向きに回転されたか否かに関する決定が行われる。例である実施例によると、段階５５０で、プロセッサー２４はユーザーによる制御キー１５の任意上向きの回転を検出する。段階５５０における決定が真である場合、処理フローは段階５５５へ進み、装置２０は音量を増大する。例である実施例によると、段階５５５で、プロセッサー２４は１つ以上の制御信号を装置２０の音声制御回路（図４に示されない）へ出力し、それにより音量増加を達成する。段階５５５から、処理フローは段階５１５へループバックし、装置２０はオン状態のままである。
【００３２】
或いは、段階５５０における決定が偽である場合、処理フローは段階５６０へ進み、制御キー１５がユーザーにより下向きに回転されたか否かに関する決定が行われる。例である実施例によると、段階５６０で、プロセッサー２４はユーザーによる制御キー１５の任意下向きの回転を検出する。段階５６０における決定が真である場合、処理フローは段階５６５へ進み、装置２０は音量を減少する。例である実施例によると、段階５６５で、プロセッサー２４は１つ以上の制御信号を装置２０の音声制御回路（図４に示されない）へ出力し、それにより音量減少を達成する。段階５６５から、処理フローは段階５１５へループバックし、装置２０はオン状態のままである。
【００３３】
或いは、段階５６０における決定が偽である場合、処理フローは段階５７０へ進み、制御キー１５がユーザーにより所定の時間期間内に下向きに回転されたか否かに関する決定が行われる。例である実施例によると、段階５７０で、プロセッサー２４は、制御キー１５がユーザーにより所定の時間期間内に上向きに及び下向きに回転されるか否かを検出する。段階５７０における決定が偽である場合、処理フローは段階５１５へループバックし、装置２０はオン状態のままである。或いは、段階５７０における決定が真である場合、処理フローは段階５７５へ進み、装置２０は装置２０の音声出力を消音する。例である実施例によると、段階５７５で、プロセッサー２４は１つ以上の制御信号を装置２０の音声制御回路（図４に示されない）へ出力し、それにより音声消音機能を達成する。音声消音機能を活性化する方法はまた、本発明に従い実行されて良い。例えば、音声消音機能は、制御キー１５が下向きに所定の距離を所定の時間期間内に回転された場合（つまり、速い下向き回転）に活性化され得る。音声消音機能が活性化されると、制御キー１５の上向き回転は次に、音声消音機能を不活性化し、そしてそれにより音声出力を復旧する。段階５７５から、処理フローは段階５１５へループバックし、装置２０はオン状態のままである。
【００３４】
本願明細書に記載されたように、本発明は、ユーザーに、テレビジョン信号受信機のような装置の種々の機能を容易且つ便利な方法で制御可能にする方法を提供する。本発明は、統合ディスプレイ装置を有する又は有さない何れの種々の装置に適用可能であって良い。従って、本願明細書で使用された「テレビジョン信号受信機」の語は、統合ディスプレイ装置を有するテレビジョンセット、コンピューター若しくはモニターを含むがこれらに限定されないシステム又は装置、及び統合ディスプレイ装置を有さないセットトップボックス、ビデオカセットレコーダー（ＶＣＲ）、デジタルバーサタイルディスク（ＤＶＤ）プレーヤー、ビデオゲームボックス、パーソナルビデオレコーダー（ＰＶＲ）、コンピューター又は他の装置のようなシステム又は装置、を参照して良い。
【００３５】
本発明は好適な設計を有するとして記載されたが、本発明は、本開示の精神と範囲内で更に変更され得る。本出願は、従って、本発明の原則を使用した本発明の如何なる変化、使用、又は適用も対象とする。更に、本出願は、本発明が関連する既知の又は従来の慣例の範囲内に含まれる、及び特許請求の範囲の限定の範囲内に含まれる本開示からの逸脱も対象とする。
【図面の簡単な説明】
【００３６】
【図１】本発明を実施に適した例である実施例である。
【図２】本発明の例である実施例による図１のユーザー入力装置の更なる詳細を提供する図である。
【図３】本発明の例である実施例による図２の制御キーの更なる詳細を提供する図である。
【図４】本発明の例である実施例による図１の装置の更なる詳細を提供する図である。
【図５】本発明の例である実施例による段階を示すフローチャートである。
【図６】本発明の例である実施例による画面上メニューである。
【図７】本発明の例である実施例による別の画面上メニューである。
【図１】
2008530853.tif 000003
【図２】
2008530853.tif 000004
【図３】
2008530853.tif 000005
【図４】
2008530853.tif 000006
【図５】
2008530853.tif 000007
【図６】
2008530853.tif 000008
【図７】
2008530853.tif 000009
【手続補正書】
【提出日】平成20年1月17日(2008.1.17)
【手続補正１】
【補正対象書類名】特許請求の範囲
【補正対象項目名】全文
【補正方法】変更
【補正の内容】
【特許請求の範囲】
【請求項１】
方法であって、ユーザーに、前記ユーザーにより回転及び押下可能なキーを有するユーザー入力装置を介し装置を制御可能にし、前記方法は：
前記ユーザーに、第１のモードの間、画面上メニューに応答して前記キーを回転及び押下することにより、前記装置の機能の第１のセットを制御可能にする段階；及び
前記ユーザーに、第２のモードの間、画面上メニューを提供せずに前記キーを回転及び押下することにより、前記装置の機能の第２のセットを制御可能にする段階、を有する方法。
【請求項２】
前記キーは、前記ユーザーにより押下可能な複数の部分を有し；及び
前記画面上メニューは、前記ユーザーが前記キーの第１の部分を押下することに応答して表示される、請求項１記載の方法。
【請求項３】
前記キーは、前記ユーザーにより複数の方向に回転可能であり；
前記キーは、前記ユーザーにより押下可能な複数の部分を有し；
前記ユーザーは、前記第１のモードの間、前記キーを回転することにより、前記画面上メニュー内をナビゲートし；及び
前記ユーザーは、前記第１のモードの間、前記キーの所与の部分を押下することにより、前記機能の第１のセットの制御されるべき１つを選択する、請求項１記載の方法。
【請求項４】
前記キーは、前記ユーザーにより２つの方向に回転可能であり；
前記キーは、前記ユーザーにより押下可能な３個の部分を有し；
前記画面上メニューは、選択可能アイコンの少なくとも２つの行及び３個の列を有し；
前記ユーザーは、前記第１のモードの間、前記キーを回転することにより、前記行の間で強調表示されたカーソルを移動し；及び
前記ユーザーは、前記第１のモードの間、前記キーの前記３個の部分の１つを押下することにより、前記選択可能アイコンの１つを選択する、請求項１記載の方法。
【請求項５】
前記機能の第２のセットは、音量調整機能及びチャンネル調整機能を有する、請求項１記載の方法。
【請求項６】
前記第２のモードの間：
前記ユーザーは、前記キーを第１の方向に回転し音量を増大し；
前記ユーザーは、前記キーを第２の方向に回転し前記音量を減少し；
前記ユーザーは、前記キーの第１の部分を押下しチャンネルを増加し；及び
前記ユーザーは、前記キーの第２の部分を押下し前記チャンネルを減少する、請求項５記載の方法。
【請求項７】
前記機能の第２のセットは音声消音機能を更に有し、及び第２のモードの間、前記ユーザーは、前記キーを所定の時間期間内に前記第１の方向に及び前記第２の方向に回転し、前記音声消音機能を活性化する、請求項６記載の方法。
【請求項８】
装置であって、ユーザーにより回転及び押下可能なキーを有するユーザー入力装置を介し前記ユーザーにより制御可能であり、前記装置は：
画面上メニューを可能にするデータを格納するメモリー手段；
前記ユーザーに、第１のモードの間、前記画面上メニューに応答し前記キーを回転及び押下することにより、前記装置の機能の第１のセットを制御可能にし、及び前記ユーザーに、第２のモードの間、画面上メニューを提供せずに前記キーを回転及び押下することにより、前記装置の機能の第２のセットを制御可能にする処理手段、を有する装置。
【請求項９】
前記キーは、前記ユーザーにより押下可能な複数の部分を有し；及び
前記画面上メニューは、前記ユーザーが前記キーの第１の部分を押下することに応答して表示される、請求項８記載の装置。
【請求項１０】
前記キーは、前記ユーザーにより複数の方向に回転可能であり；
前記キーは、前記ユーザーにより押下可能な複数の部分を有し；
前記ユーザーは、前記第１のモードの間、前記キーを回転することにより、前記画面上メニュー内をナビゲートし；及び
前記ユーザーは、前記第１のモードの間、前記キーの所与の部分を押下することにより、前記機能の第１のセットの制御されるべき１つを選択する、請求項８記載の装置。
【請求項１１】
前記キーは、前記ユーザーにより２つの方向に回転可能であり；
前記キーは、前記ユーザーにより押下可能な３個の部分を有し；
前記画面上メニューは、選択可能アイコンの少なくとも２つの行及び３個の列を有し；
前記ユーザーは、前記第１のモードの間、前記キーを回転することにより、前記行の間で強調表示されたカーソルを移動し；及び
前記ユーザーは、前記第１のモードの間、前記キーの前記３個の部分の１つを押下することにより、前記選択可能アイコンの１つを選択する、請求項８記載の装置。
【請求項１２】
前記機能の第２のセットは、音量調整機能及びチャンネル調整機能を有する、請求項８記載の装置。
【請求項１３】
前記第２のモードの間：
前記ユーザーは、前記キーを第１の方向に回転し音量を増大し；
前記ユーザーは、前記キーを第２の方向に回転し前記音量を減少し；
前記ユーザーは、前記キーの第１の部分を押下しチャンネルを増加し；及び
前記ユーザーは、前記キーの第２の部分を押下し前記チャンネルを減少する、請求項１２記載の装置。
【請求項１４】
前記機能の第２のセットは音声消音機能を更に有し、及び第２のモードの間、前記ユーザーは、前記キーを所定の時間期間内に前記第１の方向に及び前記第２の方向に回転し、前記音声消音機能を活性化する、請求項１３記載の装置。
【国際調査報告】
2008530853.tif 000010
2008530853.tif 000011
2008530853.tif 000012